(57)【要約】      （修正有）【課題】複数の発光ダイオードを二つの形態、即ち点滅、および流れ点灯表示と自動消灯、点灯可能な機能を持たせ、本体の姿勢により自動切換可能な複数形態表示信号灯を提供する。【解決手段】発光部を有する携帯可能な信号灯本体と、信号灯の持ち角度を検知する発光モード切換傾斜センサー９による信号をもとにして、発光部内の任意の発光素子５を異なる複数の発光形態となるよう制御、及び省電力モード切換傾斜センサー１３の信号により自動点灯、消灯となるよう制御する制御回路１０より構成し、発光モード切換傾斜センサー９を有効として発光形態を自動選択するモードと、発光モード切換傾斜センサー９を利用せずに発光形態を手動で選択するモードとの切換を行う切換スイッチ８を設けた複数形態表示信号灯。【選択図】図１
2004235143.tif 000002
【特許請求の範囲】
【請求項１】
発光部を有する携帯可能な信号灯本体と、信号灯の持ち角度を検知する発光モード切換傾斜センサーと、該発光モード切換傾斜センサーによる信号をもとにして、発光部内の任意の発光素子を異なる複数の発光形態となるように制御する制御回路とを有する複数形態表示信号灯。
【請求項２】
発光モード切換傾斜センサーを有効として発光形態を制御するモードと、発光モード切換傾斜センサーを利用せずに発光形態を制御するモードとの切換を行う切換スイッチを有することを特徴とする請求項１記載の複数形態表示信号灯。
【請求項３】
下向きの時に動作する省電力モード切換傾斜センサーを設けこの信号により発光素子を消灯させる制御回路（１０）を有する事を特徴とする請求項１または２に記載の複数形態表示の信号灯。
【発明の詳細な説明】
【技術分野】
【０００１】  本発明は、使用時の傾斜角度により発光形態を変えると共に下向時は発光を停止し省電力を図る事ができる交通整理時または車両誘導等に利用する携帯式誘導用信号灯に関するものである。
【背景技術】
【０００２】  従来の携帯式誘導用信号灯は単純に点滅表示するものであったり、また発光色のみ異なる発光手段を有する概念のものであったが、その切換は手で操作する切換スイッチにより行われていた。また不使用時と思われる下向時においても発光を継続し電池の寿命を促進した。【０００３】
【特許文献１】    実用新案登録第３０５５３７０号広報
【特許文献２】    特開２０００−２２２９９０１号広報
【発明の開示】
【発明が解決しようとする課題】
【０００４】  信号灯の表示形態が常に赤色の点滅表示であった場合、一形態の発光手段で任意の指示動作にて伝えていたため、誘導者の意思が正確に被誘導者に伝達できず混乱をもたらしたり、不使用時と思われる下向き時も発光を継続し電池寿命を短縮させた。本発明は以上の欠点を解決し、誘導者の意思が被誘導者に正確に伝達でき、且省電力を図る携帯式誘導用信号灯を提供するものである。
【問題を解決するための手段】
【０００５】  握り部（１）と発光部（３）よりなる信号灯本体に発光モード切換傾斜センサー（９）を設け、この発光モード切換傾斜センサー（９）の信号で発光部内の任意の発光素子を異なる複数の発光形態となるよう制御し、また省電力モード切換傾斜センサー（１３）の信号で発光を停止するよう制御する。本発明は以上の構成からなる制御回路（１０）をもつ複数形態表示信号灯である。
【発明の効果】
【０００６】  請求項１においては、発光モード切換傾斜センサー（９）を利用することによって、１つの信号灯で点滅表示、流れ点灯表示の２形態表示が可能であるため、被誘導者の誤認を防ぎ、混乱、および事故防止に役立つことが出来る。
請求項２においては、切換スイッチ（８）を操作し、発光モード切換傾斜センサー（９）を有効にしたモードを選択することによって、信号灯の持ち角度に呼応して点滅表示、流れ点灯表示が自動選択される、勿論単純な作業においては定めた発光形態として使い分けることで、誘導者の誤操作による指示を防止することが出来る。
請求項３においては、省電力モード切換傾斜センサー（１３）の信号で不使用である下向時には発光体を消灯とし電池の寿命を延ばす省電力効果が可能である。
【発明を実施するための最良の形態】
【０００７】  以下、本発明の第一実施の形態を図１から図３を用いて説明する。
本発明は図１に示すように電池収納部、制御回路（１０）、発光モード切換傾斜センサー（９）、切換スイッチ（８）、電源スイッチ（７）を有する握り部（１）と複数の発光ダイオード（５）を取付けた棒状の発光部（３）よりなる複数形態表示信号灯である。ここで制御回路（１０）は信号灯の傾斜角度を検知する発光モード切換傾斜センサー（９）の信号をもとにして発光形態を切換える機能を有するものである。図２に示すように二形態表示可能なプログラムを書込んだマイクロコンピューターで構成された制御回路（１０）の発光モード切換端子（１１）は抵抗を介しマイナスに接続し、またその発光モード切換端子（１１）は切換スイッチ（８）と発光モード切換傾斜センサー（９）を介しプラスに接続されている制御回路（１０）は発光モード切換端子（１１）がマイナスのときは点滅、プラスのときは流れ点灯するようになっている。よって、切換スイッチ（８）がｂの位置なら発光モード切換端子（１１）はマイナスに固定されるので発光ダイオードは点滅表示となり、ｃの位置にあるときは発光モード切換端子（１１）はプラスに固定されるので複数の発光ダイオードは流れ点灯表示となる、ｄの位置であれば発光モード切換傾斜センサー（９）が有効となり、その信号がＯＦＦであれば発光モード切換端子（１１）はマイナスとなり複数の発光ダイオードは点滅表示となる、そして発光モード切換傾斜センサー（９）の信号がＯＮであれば発光モード切換端子（１１）はプラスとなり複数の発光ダイオードは流れ点灯表示となる。即ち切換スイッチ（８）を操作することによって手動による二形態表示、及び信号灯の持ち角度に呼応し自動的に二形態表示が可能となる。尚、電源スイッチ（７）は電源のＯＮ、ＯＦＦを制御するスイッチであり、図３で示すように手元に設けられており、切換スイッチ（８）がどのような設定であってもこの電源スイッチが入っていなければ動作しないようになっている。【０００８】  以下、本発明の第二実施の形態を図４、図５を用いて説明する。
本実施はモード切換を利用せず、信号灯の持ち角度を検出する発光モード切換傾斜センサー（９）の信号のみに依存し発光や表示形態を制御するものである。即ち発光モード切換傾斜センサー（９）のスイッチがＯＦＦであるならば、発光モード切換端子（１１）は抵抗を介しマイナスとなるので、発光形態は点滅となり、また傾斜センサーのスイッチがＯＮなら発光モード切換端子（１１）はプラスとなるので流れ点灯の表示となる。【０００９】  以下、本発明の第三実施の形態を、図６を用いて説明する。
本実施は下向時を検出する省電力モード切換傾斜センサー（１３）の信号に依存し発光体の点灯・消灯を制御するものである。すなわち省電力モード切換傾斜センサー（１３）のスイッチがＯＦＦであれば、省電力モード切換端子（１２）は抵抗を介しプラスとなるので、発光体は点灯状態となり、また省電力モード切換傾斜センサー（１３）のスイッチがＯＮなら省電力モード切換端子（１２）はマイナスとなり消灯となる。なお制御回路（１０）はマイクロコンピューターに前記動作をするようプログラムを書込んだものである。
【実施例１】
【００１０】  図１に示すように、繋部（４）の内部に制御回路（１０）と上向時ＯＦＦ、水平時ＯＮとなる位置に発光モード切換傾斜センサー（９）を、下向時のみＯＮとなる省電力傾斜センサー（１３）を取付、外部より操作可能な電源スイッチ（７）、モード切スイッチ（８）と連結した電子回路基板（６）を装着することによって、誘導者の持角度に呼応し点滅、流れ点灯表示、省電力動作が可能な複数携帯表示灯なる。
【図面の簡単な説明】
【００１１】
【図１】本発明の全形断面図である。
【図２】本発明の電子回路図である。
【図３】本発明の操作部拡大図である。
【図４】本発明の第二実施形態の電子回路図である。
【図５】本発明の操作部拡大図である。
【図６】本発明の第三実施形態の電子回路図である。
【図７】本発明の第一、第二、第三の複合実施形態の電子回路である。
【符号の説明】
【００１２】  １  握り部
２  電池
３  発光部
４  繋部
５  発光ダイオード
６  電子回路基板
７  電源スイッチ
８  切換スイッチ
９  発光モード切換傾斜センサー
１０  制御回路
１１  発光モード切換端子
１２  省電力モード切換端子
１３  省電力モード切換傾斜センサー
【図１】
2004235143.tif 000003
【図２】
2004235143.tif 000004
【図３】
2004235143.tif 000005
【図４】
2004235143.tif 000006
【図５】
2004235143.tif 000007
【図６】
2004235143.tif 000008
【図７】
2004235143.tif 000009